(57)【要約】【課題】  本来の画像の印象を保ったままズーム画像表示を行うことができるようにする。【解決手段】  特定の画像サイズで画像を表示する際に、高速性重視のズーム画像及び高品質画像の両方を作成するようにして、高品質画像を表示するタイミングを限定することで、高速ズーム処理を実現することと、高画質のズーム画像を表示させることの両方を可能にして、高品質画像表示を行う場合では本来の画像により近い印象が得られるズーム画像を表示することができるようにする。【選択図】  図１
2007011055.tif 000002
【特許請求の範囲】
【請求項１】
複数のデジタル画像を記憶媒体に記憶する画像記憶手段と、
前記デジタル画像に対する表示サイズの変更要求を検知して、変更要求されたズームサイズを表示装置に表示するズーム検知手段と、
前記ズーム検知手段によって表示装置に表示された前記変更要求されたズームサイズのズーム画像を、高速性重視及び高品質性重視で２種類作成する表示画像作成手段と、
前記表示画像作成手段によって作成された高速性重視のズーム画像、高品質画像、または前記デジタル画像を初期画像として前記表示装置に表示する画像表示手段と、
前記ズーム検知手段の検知結果を基に、前記初期画像、高速性重視のズーム画像または高品質画像の何れかを前記表示装置に表示するように前記画像表示手段を制御する表示画像制御手段とを有することを特徴とする画像表示装置。
【請求項２】
前記表示画像制御手段は、前記表示装置に表示している画像が、前記初期画像、高速性重視のズーム画像または高品質画像の何れであるかを識別可能とする識別表示を行うことを特徴とする請求項１に記載の画像表示装置。
【請求項３】
前記表示画像制御手段は、前記表示画像作成手段が作成しているズーム画像が前記変更要求されたズームサイズよりも小さい場合には、前記変更要求されたズームサイズの大きさの枠を表示するとともに、高速性重視のズーム画像を表示し、かつズーム処理中であることを示す第１のカーソルを表示することを特徴とする請求項１または２に記載の画像表示装置。
【請求項４】
前記表示画像制御手段は、前記表示画像作成手段が前記変更要求されたズームサイズの大きさで高品質画像が作成された時にはそれを前記表示装置に表示するとともに、高品質画像を表示中であることを示す第２のカーソルを表示することを特徴とする請求項１〜３の何れか１項に記載の画像表示装置。
【請求項５】
前記表示画像制御手段は、前記表示画像作成手段が前記変更要求されたズームサイズの大きさで高速性重視のズーム画像を作成した時にはそれを前記表示装置に表示するとともに、高品質画像を作成中であることを示す第３のカーソルを表示することを特徴とする請求項１〜３の何れか１項に記載の画像表示装置。
【請求項６】
前記表示装置に表示中の画像をキャッシュ画像として保存装置に保存する表示画像保存手段を有することを特徴とする請求項１〜５の何れか１項に記載の画像表示装置。
【請求項７】
前記表示画像制御手段は、前記ズーム検知手段によりズーム方向が検知されると同時に、前記表示装置に表示する画像の作成を開始するように前記表示画像作成手段を制御することを特徴とする請求項１〜６の何れか１項に記載の画像表示装置。
【請求項８】
前記表示画像制御手段は、前記ズーム検知手段によるズーム方向の検知に従って、前記高品質画像のサイズを複数決定することを特徴とする請求項７に記載の画像表示装置。
【請求項９】
前記表示画像制御手段は、前記複数のデジタル画像に対して表示要求が同時に合った場合は、それぞれのデジタル画像に対して高品質画像を独立に作成するように前記表示画像作成手段を制御することを特徴とする請求項８に記載の画像表示装置。
【請求項１０】
前記表示画像制御手段は、前記ズーム画像を段階的に作成するように前記表示画像作成手段を制御し、前記表示装置に表示されている画像に対してズーム要求があると、ズーム方向で最近傍の高品質画像サイズを作成対象として指示することを特徴とする請求項１〜９の何れか１項に記載の画像表示装置。
【請求項１１】
前記ズーム画像のサイズが元画像のサイズに一致している間は元画像を表示することを特徴とする請求項１〜１０の何れか１項に記載の画像表示装置。
【請求項１２】
複数のデジタル画像を記憶媒体に記憶する画像記憶工程と、
前記デジタル画像に対する表示サイズの変更要求を検知して、変更要求されたズームサイズを表示装置に表示するズーム検知工程と、
前記ズーム検知工程によって表示装置に表示された前記変更要求されたズームサイズのズーム画像を、高速性重視及び高品質性重視で２種類作成する表示画像作成工程と、
前記表示画像作成工程によって作成された高速性重視のズーム画像、高品質画像、または前記デジタル画像を初期画像として前記表示装置に表示する画像表示工程と、
前記ズーム検知工程の検知結果を基に、前記初期画像、高速性重視のズーム画像または高品質画像の何れかを前記表示装置に表示するように前記画像表示工程を制御する表示画像制御工程とを有することを特徴とする画像表示方法。
【請求項１３】
前記表示画像制御工程は、前記表示装置に表示している画像が、前記初期画像、高速性重視のズーム画像または高品質画像の何れであるかを識別可能とする識別表示を行うことを特徴とする請求項１２に記載の画像表示方法。
【請求項１４】
前記表示画像制御工程は、前記表示画像作成工程において作成しているズーム画像が前記変更要求されたズームサイズよりも小さい場合には、前記変更要求されたズームサイズの大きさの枠を表示するとともに、高速性重視のズーム画像を表示し、かつズーム処理中であることを示す第１のカーソルを表示することを特徴とする請求項１２または１３に記載の画像表示方法。
【請求項１５】
前記表示画像制御工程は、前記表示画像作成工程において、前記変更要求されたズームサイズの大きさで高品質画像が作成された時にはそれを前記表示装置に表示するとともに、高品質画像を表示中であることを示す第２のカーソルを表示することを特徴とする請求項１２〜１４の何れか１項に記載の画像表示方法。
【請求項１６】
前記表示画像制御工程は、前記表示画像作成工程において、前記変更要求されたズームサイズの大きさで高速性重視のズーム画像を作成した時にはそれを前記表示装置に表示するとともに、高品質画像を作成中であることを示す第３のカーソルを表示することを特徴とする請求項１２〜１４の何れか１項に記載の画像表示方法。
【請求項１７】
前記表示装置に表示中の画像をキャッシュ画像として保存装置に保存する表示画像保存工程を有することを特徴とする請求項１２〜１６の何れか１項に記載の画像表示方法。
【請求項１８】
前記表示画像制御工程は、前記ズーム検知工程によりズーム方向が検知されると同時に、前記表示装置に表示する画像の作成を開始するように前記表示画像作成工程を制御することを特徴とする請求項１２〜１７の何れか１項に記載の画像表示方法。
【請求項１９】
前記表示画像制御工程は、前記ズーム検知工程によるズーム方向の検知に従って、前記高品質画像のサイズを複数決定することを特徴とする請求項１８に記載の画像表示方法。
【請求項２０】
前記表示画像制御工程は、前記複数のデジタル画像に対して表示要求が同時に合った場合は、それぞれのデジタル画像に対して高品質画像を独立に作成するように前記表示画像作成工程を制御することを特徴とする請求項１９に記載の画像表示方法。
【請求項２１】
前記表示画像制御工程は、前記ズーム画像を段階的に作成するように前記表示画像作成工程を制御し、前記表示装置に表示されている画像に対してズーム要求があると、ズーム方向で最近傍の高品質画像サイズを作成対象として指示することを特徴とする請求項１２〜２０の何れか１項に記載の画像表示方法。
【請求項２２】
前記ズーム画像のサイズが元画像のサイズに一致している間は元画像を表示することを特徴とする請求項１２〜２１の何れか１項に記載の画像表示方法。
【請求項２３】
複数のデジタル画像を記憶媒体に記憶する画像記憶工程と、
前記デジタル画像に対する表示サイズの変更要求を検知して、変更要求されたズームサイズを表示装置に表示するズーム検知工程と、
前記ズーム検知工程によって表示装置に表示された前記変更要求されたズームサイズのズーム画像を、高速性重視及び高品質性重視で２種類作成する表示画像作成工程と、
前記表示画像作成工程によって作成された高速性重視のズーム画像、高品質画像、または前記デジタル画像を初期画像として前記表示装置に表示する画像表示工程と、
前記ズーム検知工程の検知結果を基に、前記初期画像、高速性重視のズーム画像または高品質画像の何れかを前記表示装置に表示するように前記画像表示工程を制御する表示画像制御工程とを有する画像表示方法をコンピュータに実行させることを特徴とするコンピュータプログラム。
【請求項２４】
前記請求項２３に記載のコンピュータプログラムを記録したことを特徴とするコンピュータ読み取り可能な記録媒体。
【発明の詳細な説明】
【技術分野】
【０００１】
本発明は画像表示装置、画像表示方法、コンピュータプログラム及び記録媒体に関し、特に、画像ブラウザにおいて、本来の画像の印象を保ったままズームを行うことができるようにするために用いて好適な技術に関する。
【背景技術】
【０００２】
デジタルカメラやプリンタといった画像関連装置の普及に伴って、家庭や業務においてデジタル画像を扱うことは既に特別なことではなくなっている。これに伴って、画像関連装置及びソフトウェアで扱う画像の画質については、様々な方法で向上が図られてきた。
【０００３】
特に、画像の拡大及び縮小に関しては多くの手法が提案されており、従来の画像ブラウザ上で実現されている。しかしながら、リアルタイム性を持った画像の連続ズームに関しては、高速性を重視するために必ずしも高品質画像を得られるズーム手法を用いることができるわけではない。
【０００４】
例えば、特許文献１において提案されている「表示制御装置」の場合には、設定された処理を反映したプレビュー画面を含む画面を表示するためのデータを記憶する第１記憶手段とは別の第２記憶手段を用いてプレビュー画面を表示するためのデータを作成する作成手段と、前記作成手段により作成されたプレビュー画面を表示するためのデータを前記第１記憶手段にコピーする手段とを設けている。
【０００５】
【特許文献１】特開２００１−０１４１３０号公報
【発明の開示】
【発明が解決しようとする課題】
【０００６】
ズームイン及びズームアウト機能を持った画像ブラウザにおいて、ズームの高速性と画質はトレードオフになり、ズームによって本来の画像の印象を著しく損なうことがある。本来、ズームは画像の概要を理解しやすくするために行うか、もしくは細部の内容を把握しやすくするために用いられる機能である。
【０００７】
したがって、ズームを行うと画質が低下してしまうのでは、画像の概要を理解しやすくしたり、或いは細部の内容を把握したりできるようにするというズーム本来の目的を達成することができなくなってしまう問題点があった。
【０００８】
本発明は前述の問題点にかんがみ、本来の画像の印象を保ったままズームを行うことができる画像表示装置を提供できるようにすることを目的としている。
【課題を解決するための手段】
【０００９】
本発明の画像表示装置は、複数のデジタル画像を記憶媒体に記憶する画像記憶手段と、前記デジタル画像に対する表示サイズの変更要求を検知して、変更要求されたズームサイズを表示装置に表示するズーム検知手段と、前記ズーム検知手段によって表示装置に表示された前記変更要求されたズームサイズのズーム画像を、高速性重視及び高品質性重視で２種類作成する表示画像作成手段と、前記表示画像作成手段によって作成された高速性重視のズーム画像、高品質画像、または前記デジタル画像を初期画像として前記表示装置に表示する画像表示手段と、前記ズーム検知手段の検知結果を基に、前記初期画像、高速性重視のズーム画像または高品質画像の何れかを前記表示装置に表示するように前記画像表示手段を制御する表示画像制御手段とを有することを特徴とする。
【００１０】
本発明の画像表示方法は、複数のデジタル画像を記憶媒体に記憶する画像記憶工程と、前記デジタル画像に対する表示サイズの変更要求を検知して、変更要求されたズームサイズを表示装置に表示するズーム検知工程と、前記ズーム検知工程によって表示装置に表示された前記変更要求されたズームサイズのズーム画像を、高速性重視及び高品質性重視で２種類作成する表示画像作成工程と、前記表示画像作成工程によって作成された高速性重視のズーム画像、高品質画像、または前記デジタル画像を初期画像として前記表示装置に表示する画像表示工程と、前記ズーム検知工程の検知結果を基に、前記初期画像、高速性重視のズーム画像または高品質画像の何れかを前記表示装置に表示するように前記画像表示工程を制御する表示画像制御工程とを有することを特徴とする。
【００１１】
本発明のコンピュータプログラムは、複数のデジタル画像を記憶媒体に記憶する画像記憶工程と、前記デジタル画像に対する表示サイズの変更要求を検知して、変更要求されたズームサイズを表示装置に表示するズーム検知工程と、前記ズーム検知工程によって表示装置に表示された前記変更要求されたズームサイズのズーム画像を、高速性重視及び高品質性重視で２種類作成する表示画像作成工程と、前記表示画像作成工程によって作成された高速性重視のズーム画像、高品質画像、または前記デジタル画像を初期画像として前記表示装置に表示する画像表示工程と、前記ズーム検知工程の検知結果を基に、前記初期画像、高速性重視のズーム画像または高品質画像の何れかを前記表示装置に表示するように前記画像表示工程を制御する表示画像制御工程とを有する画像表示方法をコンピュータに実行させることを特徴とする。
【００１２】
本発明の記録媒体は、前記に記載のコンピュータプログラムを記録したことを特徴とする。
【発明の効果】
【００１３】
本発明によれば、高品質なズーム画像を適切なタイミングで作成し、所望のズーム率に近いサイズの高品質画像をスムーズに表示できる画像表示装置を実現することができる。
【発明を実施するための最良の形態】
【００１４】
（第１の実施の形態）
以下、本発明に係る実施の形態を、図面を参照して詳細に説明する。
図２は、本実施の形態の画像表示装置の構成を示すブロック図であり、図３は図２の構成を内包するハードウェアならびにソフトウェアを含む画像表示システムを示す図である。
【００１５】
図２において、２０１はズーム処理の動作を制御する演算処理装置（ＣＰＵ）である。２０２はハードディスクドライブであり、実行プログラムや符号化された対象画像データなどのデジタルデータが読み取り可能な形式で記録されている。２０３はメモリデバイスであり、ハードディスクドライブ２０２に記録されたプログラムコードや対象画像データがロードされ、ＣＰＵ２０１が実行する構成となっている。
【００１６】
２０４は、キーボードやマウスなどからなる操作部で、本実施の形態におけるズーム操作の入力部を構成している。この入力をＣＰＵ２０１が検知し、メモリデバイス２０３にロードされたプログラムに通達されて処理が行われる。２０５は表示部（ディスプレイ）であり、ＣＲＴディスプレイや液晶パネルなどにより構成される。現在のズーム画像及び適正画像サイズを示す枠及びカーソルが表示される。
【００１７】
２０６は外部記憶媒体ドライブであり、CD-ROMやDVD-ROMなどの外部記憶媒体を読み出すためのものである。本実施の形態では、ハードディスクドライブ２０２に記録されたプログラム及び画像データを使用するが、プログラムや画像データが外部記憶媒体に記録されている場合は外部記憶媒体ドライブ２０６を介して実行する形態でもよい。また同様に、ネットワークを介してプログラム及び画像データをロードする形態も本発明は適用される。
【００１８】
次に、図１を用いて本実施の形態のユーザインタフェイスを説明する。
図１に示すように、元画像１０１に対してマウスやキーボードによりズーム操作が開始されると、ズーム処理中であることを示す第１のカーソル１０２（以下、単に第１のカーソルとする）を画像端に表示する。また、高速性を重視した手法で作成したズーム画像１０３を表示するとともに、ズーム操作の方向を検知して最近傍の高品質画像サイズの枠１０４を提示する。
【００１９】
次に、ズーム画像のサイズが高品質画像サイズの枠１０４に一致すると、高品質画像の作成が完了しているか否かを判定する。この判定の結果、高品質画像の作成が完了していれば、高品質画像１０５をこれまでのズーム画像１０３の代わりに表示する。そして、高品質画像１０５を表示中であることを示す第２のカーソル１０６（以下、単に第２のカーソルとする）を高品質画像１０５の端部に表示する。これにより、高品質画像１０５が表示されていることをユーザに通知することができる。
【００２０】
また、前記判定の結果、高品質画像１０５の作成が完了していなければ、高品質画像１０５を作成中であることを示す第３のカーソル１０８（以下、単に第３のカーソルとする）へと変化させ、高速性を重視した手法で作成したズーム画像（高速性重視のズーム画像）１０７を表示する。
【００２１】
高速性重視のズーム画像１０７を表示している状態でズーム操作が新たに行われなければ、高品質画像１０５の作成が完了すると同時に、高速性重視のズーム画像１０７の代わりに高品質画像１０５が表示される。また、画像の端部のカーソルを第１のカーソル１０２から第２のカーソル１０６へと変化させる。これにより、高品質画像１０５が表示されていることをユーザに通知することができる。
【００２２】
この後、画像のズーム操作があった場合は、第２のカーソル１０６を第１のカーソル１０２へと変更し、表示画像を高品質画像１０５から高速性重視のズーム画像１０３に戻し、操作の方向を検知して操作方向で最近傍の高品質画像サイズの枠１０４を再度提示する。
【００２３】
なお、ズームサイズが元画像１０１のサイズに一致すると、一致している間だけ表示画像を元画像１０１にし、元画像１０１の枠の色を変化させることで元画像１０１が表示されていることをユーザに通知する。
【００２４】
また、図１では単一画像に対してのユーザインタフェイスを示したが、複数画像に対する操作の場合には、画像ごとに同様の操作を独立に行うようにしてもよい。
【００２５】
次に、図３を用いて、本実施の形態で作成する高品質画像サイズの選択方法について説明する。本実施の形態では、高品質画像サイズを元画像３０１から縦横０.５倍刻みで内外とも２段階ずつ作成する例を示している。また、元画像サイズも高品質画像サイズと同様に選択対象とする。
【００２６】
以下に、元画像サイズから第２の高品質画像サイズ３０５を超えて拡大し、その後に元画像サイズまで縮小する場合の、高品質画像サイズ選択手順を示す。
第１に、元画像３０１を表示している場合に画像の拡大要求があると、拡大方向で最近傍の高品質画像サイズである第１の高品質画像３０４が作成対象として選択される。
【００２７】
第２に、第１の高品質画像サイズ３０４を超えてさらに拡大要求があれば、作成対象を第２の高品質画像サイズ３０５に切り替える。
第３に、第２の高品質画像サイズ３０５を超えてさらに拡大要求があっても、これより大きな高品質画像サイズはないので、第２の高品質画像サイズ３０５の作成が完了していなければ継続して作成する。
【００２８】
第４に、前記した第３の状態から縮小要求があっても、最近傍の高品質画像サイズは３０５なので、状態を継続する。
第５に、第２の高品質画像サイズ３０５に縮小要求があれば、作成対象を第１の高品質画像サイズ３０４に切り替える。
【００２９】
第６に、第１の高品質画像サイズ３０４を超えてさらに縮小要求があれば、縮小ズーム方向の最近傍には元画像３０１が存在するため、作成する高品質画像は該当なしとなる。
以下、元画像３０１のサイズより小さい高品質画像サイズ３０２、３０３に関しても同様の手順で高品質画像サイズの選択が行われる。
【００３０】
ここで、図３を用いて、高品質画像３０２〜３０５のキャッシュの仕組みについて説明する。
本実施の形態において作成される高品質画像３０２〜３０５は、作成後にメモリデバイス２０３にキャッシュデータとして保持される。キャッシュされた高品質画像３０２〜３０５は、画像の表示が終了されるまで保持されており、ユーザ操作に対応して直ぐに呼び出される。作成された高品質画像３０２〜３０５をキャッシュすることにより、高品質画像の表示を高速化することができる。
【００３１】
次に、本実施の形態の画像表示装置において、高品質画像の作成処理及びズーム機能提供処理について、図４のフローチャートを用いて詳しく説明する。
まず、画像表示装置は図２のディスプレイ２０５に図１に示したインタフェイスで元画像１０１を表示する。
【００３２】
ユーザは、操作部２０４にマウスを用いて画像表示機能を制御することができる。通常、表示される元画像１０１は符号化された画像データで、外部記憶媒体或いはハードディスクドライブ２０２に記録されたものであり、ディスプレイ２０５に表示される画像はその復号した結果である。
【００３３】
ステップＳ４０１において処理が開始されると、最初にステップＳ４０２でユーザによって終了処理が行われたかどうかを判断する。これは、マウスボタンがリリースされることによって終了処理が行われたとみなす。ステップＳ４０２の判断の結果、終了処理が行われていれば、ステップＳ４１４に進んで全ての処理を終了する。また、ステップＳ４０２の判断の結果、終了処理が行われていなければステップＳ４０３に進む。
【００３４】
ステップＳ４０３は、ユーザによるズーム操作が開始されているかどうかを判断する。これは、カーソル１０２の位置でマウスボタンがプレスされることによってズーム操作の開始とみなして判断する。ユーザがズーム操作をしていなければステップＳ４０２の直前まで処理を戻す。
【００３５】
これに対して、ズーム操作が開始されていればステップＳ４０４に進み、ユーザのズーム操作を検知して画像の再描画サイズを決定して、決定後にステップＳ４０５に進む。
ステップＳ４０５では、ステップＳ４０４で決定された再描画サイズに対して、現在描画されているサイズとの比較を行う。この比較の結果、サイズに変更がなければステップＳ４１３に進む。また、サイズに変更があればステップＳ４０６に進む。
【００３６】
ステップＳ４１３では、再描画サイズの高品質画像の作成が完了していて、かつ第３のカーソル１０８が描画されていれば、ステップＳ４０２の直前まで戻し、そうでなければステップＳ４０９に進む。第３のカーソル１０８が描画されている状態は、ズーム操作に対する高品質画像のサイズが決定されていても高品質画像の作成が完了していない場合である。
【００３７】
ステップＳ４０９では、作成された高品質画像１０５と、高品質画像が描画されていることを示す第２のカーソル１０６を描画し、ステップＳ４０２の直前まで処理を戻す。
【００３８】
一方、ステップＳ４０５からステップＳ４０６に進んだ場合には、再描画サイズに変更があった場合に、そのサイズは高品質画像を作成可能であるか否かを判定する。この判定の結果、作成可能であればステップＳ４０７に進み、そうでなければステップＳ４１０に進む。
【００３９】
ステップＳ４０７では、再描画サイズの高品質画像１０５の作成が完了しているか否かを判定する。この判定の結果、高品質画像１０５の作成が完了していればステップＳ４０９に進み、そうでなければステップＳ４０８に進む。
【００４０】
ステップＳ４０８では、高品質画像１０５と同じサイズで高速性を重視した手法で作成したズーム画像１０７を描画し、高品質画像を作成中であることを表す第３のカーソル１０８に変化させる処理を行い、この処理の終了後にステップＳ４０２の直前まで戻る。
【００４１】
一方、ステップＳ４０６の判定の結果、ステップＳ４１０に進んだ場合には、ズーム方向の高品質画像サイズ枠を描画し、高速性を重視した手法でズーム画像１０３を描画する。さらに、第１のカーソル１０２を再描画し、その後にステップＳ４１１に進む。
【００４２】
ステップＳ４１１では、ズーム方向で最近傍の高品質画像が作成開始されているか否かを判断し、開始されていればステップＳ４０２の直前まで処理を戻す。また、ステップＳ４１１の判断の結果、高品質画像の作成が開始されていなければ、ステップＳ４１２に進む。ステップＳ４１２では、ズーム方向の高品質画像の作成を開始し、作成した高品質画像１０５を内部記憶媒体に記憶する。その後、ステップＳ４０２の直前まで処理を戻す。
【００４３】
以上の手順によって画像のズーム処理を行うことにより、ユーザに高品質画像を提供することができる。なお、本実施の形態では高速性を重視するズーム手法に最近傍法を用い、高品質画像の作成手法に３次補間法を用いた例を示した。
【００４４】
（本発明に係る他の実施の形態）
前述した本発明の実施の形態における画像表示装置を構成する各手段、並びに画像表示方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４５】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４６】
なお、本発明は、前述した実施の形態の機能を実現するソフトウェアのプログラム（実施の形態では図４に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００４７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４８】
その場合、プログラムの機能を有していれば、オブジェクトコード、インタプリタにより実行されるプログラム、ＯＳに供給するスクリプトデータ等の形態であってもよい。
【００４９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５０】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００５１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５３】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００５４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５５】
【図１】本実施の形態を示し、画像表示装置のユーザインタフェイス例を示す図である。
【図２】本実施の形態を示し、画像表示装置の構成例を示すブロック図である。
【図３】本実施の形態を示し、画像表示装置がズーム画像を作成する様子を説明するための図である。
【図４】本実施の形態を示し、ズーム画像の作成手順を説明するフローチャートである。
【符号の説明】
【００５６】
１０１  元画像
１０２  ズーム処理中であることを示す第１のカーソル
１０３  高速性を重視した手法で作成したズーム画像
１０４  高品質画像サイズの枠
１０５  高品質画像
１０６  高品質画像を表示中であることを示す第２のカーソル
１０７  高速性重視のズーム画像
１０８  高品質画像を作成中であることを示す第３のカーソル
【図１】
2007011055.tif 000003
【図２】
2007011055.tif 000004
【図３】
2007011055.tif 000005
【図４】
2007011055.tif 000006